(57)【要約】【課題】本発明は、無線通信媒体が格納された挿入型記憶媒体装置が電子機器に挿入された場合であっても、電子機器を覆う金属面による遮蔽を排除して、外部の読み書き部と無線通信媒体との通信を可能とし、その通信距離を拡大する挿入型記憶媒体装置および無線通信媒体付記憶装置を提供することを目的とする。【解決手段】本発明は、データを書き込み、もしくは読み出し、もしくは読み書きを行う記憶媒体２と、無線通信媒体３と、無線通信媒体３と記憶媒体２を格納するケース４と、ケース４の底面６もしくはこれと対向する面の少なくとも一方の面であって、無線通信媒体３に対向する部分に設けられた磁性部材５を有する構成とする。【選択図】図１
2005275871.tif 000002
【特許請求の範囲】
【請求項１】
データを書き込み、もしくは読み出し、もしくは読み書きを行う記憶媒体と、
無線通信媒体と、
前記無線通信媒体と前記記憶媒体を格納するケースと、
前記ケースの底面もしくはこれと対向する面の少なくとも一方の面であって、少なくとも前記無線通信媒体に対向する部分に磁性部材を有することを特徴とする挿入型記憶媒体装置。
【請求項２】
データの書き込み、もしくは読み出し、もしくは読み書きを行う記憶媒体と、
アンテナとメモリを含む無線通信媒体と、
前記記憶媒体と、前記無線通信媒体を格納するケースと、
前記ケースにおいて広い面となる底面もしくはこれと対向する面の少なくとも一方の面であって、少なくとも前記無線通信媒体に対向する部分に磁性部材を有することを特徴とする挿入型記憶媒体装置。
【請求項３】
前記ケースが薄型ケースであることを特徴とする請求項１乃至２のいずれかに記載の挿入型記憶媒体装置。
【請求項４】
前記磁性部材の外側であって、前記無線通信媒体と反対側に金属部材を設けたことを特徴とする請求項１〜３いずれか１記載の挿入型記憶媒体装置。
【請求項５】
前記磁性部材が磁性体シート、もしくは磁性体板、もしくは磁性体膜のいずれかであることを特徴とする請求項１〜４いずれか１記載の挿入型記憶媒体装置。
【請求項６】
前記無線通信媒体は、磁界が与えられることで誘導起電力が発生し、データ通信が行われることを特徴とする請求項１〜５いずれか１記載の挿入型記憶媒体装置。
【請求項７】
データを書き込み、もしくは読み出し、もしくは読み書きを行う記憶媒体と、
無線通信媒体と、
前記無線通信媒体と、前記記憶媒体を格納するケースと、
前記ケースの底面もしくはこれと対向する面の少なくとも一方の面であって、少なくとも前記無線通信媒体に対向する位置に設けられた磁性部材と、
前記ケースの周囲を囲うように設けられた開口部を有する導体から形成されるループアンテナを有することを特徴とする挿入型記憶媒体装置。
【請求項８】
前記ループアンテナの開口部が、前記無線通信媒体と略並行になることを特徴とする請求項７に記載の挿入型記憶媒体装置。
【請求項９】
前記ループアンテナの開口部が、前記ケースの面積よりも大きいことを特徴とする請求項７乃至８のいずれかに記載の挿入型記憶媒体装置。
【請求項１０】
前記ループアンテナに共振回路、もしくは整合回路、もしくは終端抵抗のいずれか、あるいはこれらの２つ、あるいはすべてが接続されていることを特徴とする請求項７〜９いずれか１記載の挿入型記憶媒体装置。
【請求項１１】
前記磁性部材の外側であって、前記無線通信媒体と反対側に金属部材が設けられたことを特徴とする請求項７〜１０いずれか１記載の挿入型記憶媒体装置。
【請求項１２】
前記磁性部材および金属部材およびループアンテナの一部、もしくはすべてが、前記ケー
スに格納されていることを特徴とする請求項７〜１１いずれか１に記載の挿入型記憶媒体装置。
【請求項１３】
前記挿入型記憶媒体装置がメモリーカードであることを特徴とする請求項１〜１２いずれか１記載の挿入型記憶媒体装置。
【請求項１４】
前記ループアンテナが無給電ループアンテナであることを特徴とする請求項７〜１３いずれか１記載の挿入型記憶媒体装置。
【請求項１５】
前記ループアンテナの開口部が、前記無線通信媒体の主面の面積よりも大きいことを特徴とする請求項７〜１４いずれか１記載の挿入型記憶媒体装置。
【請求項１６】
データを書き込み、もしくは読み出し、もしくは読み書きを行う記憶媒体と、
無線通信媒体と、
前記無線通信媒体と前記記憶媒体を格納するケースと、前記ケースの底面もしくはこれと対向する面の少なくとも一方の面であって少なくとも前記無線通信媒体に対向する部分に設けられた磁性部材を有する挿入型記憶媒体装置が挿入可能な挿入部と、
前記挿入部が設けられた筐体と、
前記挿入部の周囲を囲むように設けられた開口部を有する導体で形成されたループアンテナを有することを特徴とする無線通信媒体付記憶装置。
【請求項１７】
無線通信媒体と、前記無線通信媒体と前記記憶媒体を格納するケースと、前記ケースの底面もしくはこれと対向する面の少なくとも一方の面であって少なくとも前記無線通信媒体に対向する部分に設けられた磁性部材を有する挿入型記憶媒体装置を挿入可能な挿入部と、
前記挿入部が設けられた筐体と、
前記挿入部の周囲を囲むように設けられた開口部を有する導体から形成され、前記開口部の形成する面が、前記無線通信媒体の主面と略平行になるループアンテナを有することを特徴とする無線通信媒体付記憶装置。
【請求項１８】
前記ループアンテナに共振回路、もしくは整合回路、もしくは終端抵抗のいずれか、あるいはこれらの２つ、あるいはすべてが接続されていることを特徴とする請求項１６乃至１７いずれかに記載の無線通信媒体付記憶装置。
【請求項１９】
前記磁性部材の底面であって、前記無線通信媒体と反対側の面に金属部材が設けられたことを特徴とする請求項１６〜１８いずれか１記載の無線通信媒体付記憶装置。
【請求項２０】
前記挿入部が前記無線通信媒体付記憶装置の側面に設けられ、前記ケースが無線通信媒体付記憶装置の幅広面に対向して前記挿入部から挿入されることを特徴とする請求項１６〜１９いずれか１記載の無線通信媒体付記憶装置。
【請求項２１】
前記ループアンテナが無給電のループアンテナであることを特徴とする請求項１６〜２０いずれか１記載の無線通信媒体付記憶装置。
【請求項２２】
請求項１６〜２１いずれか１記載の無線通信媒体付記憶装置と、
データ処理部と、
制御部と、
これらを格納する筐体と、
マンマシンインターフェースを有することを特徴とする電子機器。
【請求項２３】
前記電子機器が携帯端末であることを特徴とする請求項２２に記載の電子機器。
【請求項２４】
データを書き込み、もしくは読み出し、もしくは読み書きを行う記憶媒体と、無線通信媒体と、前記無線通信媒体と前記記憶媒体を格納するケースと、前記ケースの底面もしくはこれと対向する面の少なくとも一方の面であって、少なくとも前記無線通信媒体に対向する部分に磁性部材と、前記磁性部材の底面であって、前記無線通信媒体の反対側に設けられた金属部材を有する挿入型記憶媒体装置を挿入可能な挿入部と、
前記挿入部が設けられた筐体と、
前記筐体に設けられた表示部と入力装置を有するマンマシンインターフェースと、
前記筐体内部に設けられた送受信処理部と、
前記筐体内部に設けられ、前記送受信処理部を制御する制御部と、
前記筐体内部であって、前記挿入された挿入型記憶媒体装置の周囲を囲むように設けられた開口部を有する導体で形成されたループアンテナを有することを特徴とする携帯端末。
【発明の詳細な説明】
【技術分野】
【０００１】
本発明は、携帯電話や携帯端末をはじめとした電子機器に差し込むメモリーカードなどの記憶媒体装置に、ＩＣタグなどの無線通信媒体を一緒に格納して挿入し、外部からカードリーダーなどの読み書き部を用いて無線通信媒体との通信を行う場合に、無線通信媒体が格納された挿入型記憶媒体装置が電子機器に挿入された場合であっても、電子機器内の金属面の影響を低減して、外部の読み書き部と無線通信媒体との通信を可能とし、その通信距離を拡大する挿入型記憶媒体装置および無線通信媒体付記憶装置を提供することを目的とする。
【背景技術】
【０００２】
認証や荷物の行き先振り分けなどのために、ＩＣカードやＩＣタグなどのＩＤコードをもった無線通信媒体と、この無線通信媒体のＩＤコード認証を行うための無線通信媒体処理装置が用いられることが多くなっている。通信搭載媒体が通信搭載媒体処理装置の通信範囲に存在すると、アンテナからの磁界により無線通信媒体が有するアンテナに誘起電圧が発生しこの電圧が整流され電力と送信データが供給される。電力が供給された無線通信媒体では搭載されたメモリ内から読み出されたデータに応じて、例えばアンテナに接続された負荷抵抗とスイッチとからなる変調回路にて、データの１、０に応じて、スイッチがオン、オフされる。このオン、オフにより、無線通信媒体の有するアンテナに対する負荷変動が生じ、この負荷変動が信号として通信媒体処理装置側のアンテナへ伝達される。伝達された信号は復調され、そのＩＤコード認証が実行される（例えば特許文献１参照）。
【０００３】
ここで、例えば携帯電話などの携帯端末やその他の電子機器においてメモリーカードなどの挿入型記憶媒体を差し込んで、画像や音声などのデータを記憶させることが行われている。このとき、このようなカード型などをした挿入型記憶媒体にあらかじめＩＣタグなどの無線通信媒体を一緒に装着して挿入して、外部からこの無線通信媒体との通信を行って、ＩＤコード認証などを行うことなどが検討されてきている。
【０００４】
あるいは、無線通信媒体以外の専用の電子認証カードなどを電子機器に挿入して、この電子機器に挿入されている電子認証カードを読み出すことなども提案されている（例えば特許文献２参照）。
【特許文献１】特開２０００−１６３５２３号公報
【特許文献２】特開２００３−１４３３２６号公報
【発明の開示】
【発明が解決しようとする課題】
【０００５】
しかしながら、専用の電子認証カードではなく、ＩＣタグやＩＣカードなどの汎用の無線通信媒体をメモリーカードなどの挿入型記憶媒体に格納した上で、携帯端末などに挿入すると、携帯端末の内の金属面や金属部品と無線通信媒体が有するアンテナとの干渉によりアンテナの共振周波数ズレやインピーダンス変動等の影響を受け、外部の通信搭載媒体処理装置との通信が殆ど出来なくなると言う問題があった。
【０００６】
以上のことから、携帯端末のメモリースロットなどを活用した無線通信媒体を、携帯端末に格納して、外部の読み書き部と通信するさまざまなアプリケーションや処理システムを実現することは事実上、困難であるという問題があった。
【０００７】
本発明は、上記の課題に鑑み、メモリーカードなどの挿入型記憶媒体に装着された無線通信媒体を、携帯端末などの電子機器に挿入した場合であっても、携帯端末内の金属面や
金属部品と無線通信媒体が有するアンテナとの干渉を低減し、アンテナの共振周波数ズレやインピーダンス変動等の影響を無くし、十分な通信距離を確保して通信できる挿入型記憶媒体装置および無線通信媒体付記憶装置を実現するものである。
【課題を解決するための手段】
【０００８】
本発明は、データを書き込み、もしくは読み出し、もしくは読み書きを行う記憶媒体と、無線通信媒体と、無線通信媒体と記憶媒体を格納するケースと、ケースの底面もしくはこれと対向する面の少なくとも一方の面であって、少なくとも無線通信媒体に対向する部分に磁性部材を有する構成とする。
【発明の効果】
【０００９】
本発明の構成により、メモリーカードなどの挿入型記憶媒体装置にあらかじめＩＤコードなどを有した無線通信媒体を格納して、データの記憶などを行う記憶媒体と共に無線通信媒体を挿入型記憶媒体装置に組み込んで、携帯端末などの電子機器に挿入した上で、外部の非接触リーダーなどの読み書き部と、無線通信媒体との間で通信を行うことが可能となる。
【００１０】
また、無線通信媒体と対向する面に磁性部材を形成することで、磁性部材において、磁束密度の通り道の発生を確保し、電子機器の金属面や金属部品が無線通信媒体の有するアンテナに与える影響を低減して、無線通信媒体と外部との磁界のやり取りを可能とする。即ち、電子機器に挿入された無線通信媒体と、外部の読み書き部との通信を可能とすることができる。
【００１１】
また、記憶媒体と無線通信媒体が格納されるケースが、薄型ケースであることで、携帯電話などの薄型が要求される電子機器や、薄型ノートブックパソコンなどに容易に挿入でき、挿入された挿入型記憶媒体装置に組み込まれた無線通信媒体と、外部の読み書き部との通信を行うことができるようになる。
【００１２】
また、磁性部材の外側に金属部材を形成することで、記憶媒体と無線通信媒体が格納されたケースが電子機器の外にある場合と、電子機器の内部に挿入された場合のいずれにおいても無線通信媒体が有するアンテナへのインピーダンス変化や周波数ズレの影響を大幅に低減する事により挿入された無線通信媒体と外部の読み書き部との通信距離を更に拡大することが可能となる。
【００１３】
また、無線通信媒体と記憶媒体とをあらかじめ電気的に通信可能にしておき、記憶媒体を経由して、無線通信媒体のデータ（例えばＩＤコードなど）を変えることで、フレキシビリティの高い装置を実現することが可能となる。
【００１４】
更に、ループアンテナを周囲に設けることで、外部の非接触リーダーなどの読み書き部に設けられたアンテナと、このループアンテナが相互誘導により結合し、このループアンテナが仲介となって、更にこのループアンテナ周辺に強い磁界を生じ、挿入型記憶媒体装置内部にある無線通信媒体のアンテナへ強い磁界を与えることが可能となる。同様に、逆方向、即ち、内部の無線通信媒体のアンテナの負荷変動を更に強くして、外部の非接触リーダーなどの読み書き部との通信距離を、容易に伸ばすことが可能となる。
【００１５】
特に、このとき、ループアンテナは無給電でよいので、余分な消費電力の原因とならず、電子機器への影響も無いものである。また、ループアンテナは、印刷パターンなどで形成することが可能であるので、挿入型記憶媒体装置や、無線通信媒体付記憶装置、あるいはこれらが挿入される電子機器を大型化させることはほとんど無いものである。
【００１６】
また、ループアンテナは、あらかじめ挿入型記憶媒体装置と一緒に形成されて置くことで、ループアンテナを含めて電子機器に挿入することができ、無線通信媒体の形状や大きさ、向きなどに合わせたループアンテナとすることができる。
【００１７】
また、ループアンテナはあらかじめ電子機器などの、挿入型記憶媒体装置が挿入される挿入部の周囲に形成されておくことで、ループアンテナを別途用意することなく、挿入型記憶媒体装置を挿入するだけで、ループアンテナの効果を用いた通信距離の拡大を実現することができる。また、挿入型記憶媒体装置を、例えば規格化されたメモリーカードなどの大きさや形状を変えることなく使用することができると言う効果がある。
【００１８】
以上の効果より、携帯端末などの電子機器の大きさを大型化させるなどの問題を生じさせず、メモリーカードなど機器への着脱が可能な媒体に無線通信媒体をあらかじめ格納しておいて、機器内部へ無線通信媒体を挿入させ、電子機器内の金属面や金属部品と無線通信媒体が有するアンテナとの干渉を低減し、アンテナの共振周波数ズレやインピーダンス変動等の影響を無くし、外部の読み書き部との通信を可能とし、その通信距離を伸ばすことができる。これらにより、例えば、携帯端末を使った入出管理や入場管理、入場チケット代わりなどを行うことができ、種々のシステム、アプリケーション、ビジネスに適用することが可能となる。
【発明を実施するための最良の形態】
【００１９】
本発明の請求項１に記載の発明は、データを書き込み、もしくは読み出し、もしくは読み書きを行う記憶媒体と、無線通信媒体と、無線通信媒体と記憶媒体を格納するケースと、ケースの底面もしくはこれと対向する面の少なくとも一方の面であって、少なくとも無線通信媒体に対向する部分に磁性部材を有することを特徴とする挿入型記憶媒体装置であって、電子機器内外の金属面などによる影響を回避して、内部に挿入された無線通信媒体と外部の読み書き部との通信を可能とする。
【００２０】
本発明の請求項２に記載の発明は、データの書き込み、もしくは読み出し、もしくは読み書きを行う記憶媒体と、アンテナとメモリを含む無線通信媒体と、記憶媒体と、無線通信媒体を格納するケースと、ケースにおいて広い面となる底面もしくはこれと対向する面の少なくとも一方の面であって、少なくとも無線通信媒体に対向する部分に磁性部材を有することを特徴とする挿入型記憶媒体装置であって、電子機器内外の金属面などによる影響を回避して、内部に挿入された無線通信媒体と外部の読み書き部との通信を可能とする。
【００２１】
本発明の請求項３に記載の発明は、ケースが薄型ケースであることを特徴とする請求項１乃至２のいずれかに記載の挿入型記憶媒体装置であって、電子機器などへの挿入を容易とし、更に挿入される電子機器を大型化する必要がない。
【００２２】
本発明の請求項４に記載の発明は、磁性部材の外側であって、無線通信媒体と反対側に金属部材を設けたことを特徴とする請求項１〜３いずれか１記載の挿入型記憶媒体装置であって、記憶媒体と無線通信媒体が格納されたケースが電子機器の外にある場合と、電子機器の内部に挿入された場合のいずれにおいても無線通信媒体が有するアンテナへのインピーダンス変化や周波数ズレの影響を大幅に低減する事により、挿入された無線通信媒体と外部の読み書き部との通信距離を更に拡大することが可能となる。
【００２３】
本発明の請求項５に記載の発明は、磁性部材が磁性体シート、もしくは磁性体板、もしくは磁性体膜のいずれかであることを特徴とする請求項１〜４いずれか１記載の挿入型記憶媒体装置であって、より薄型化を実現することが可能となる。
【００２４】
本発明の請求項６に記載の発明は、無線通信媒体は、磁界が与えられることで誘導起電力が発生し、データ通信が行われることを特徴とする請求項１〜５いずれか１記載の挿入型記憶媒体装置であって、直接的な給電が不要な無線通信媒体によるＩＤ認証などの通信が可能となる。
【００２５】
本発明の請求項７に記載の発明は、データを書き込み、もしくは読み出し、もしくは読み書きを行う記憶媒体と、無線通信媒体と、記憶媒体を格納するケースと、ケースの底面もしくはこれと対向する面の少なくとも一方の面であって、少なくとも無線通信媒体に対向する位置に設けられた磁性部材と、ケースの周囲を囲うように設けられた開口部を有する導体から形成されるループアンテナを有することを特徴とする挿入型記憶媒体装置であって、電子機器内外の金属面などによる影響を回避して、内部に挿入された無線通信媒体と外部の読み書き部との通信を可能とし、更にその通信距離を拡大することが可能となる。
【００２６】
本発明の請求項８に記載の発明は、ループアンテナの開口部が、無線通信媒体と略並行になることを特徴とする請求項７に記載の挿入型記憶媒体装置であって、外部の非接触リーダーなどの読み書き部に設けられたループアンテナと、このループアンテナが相互誘導により結合し、このループアンテナが仲介となって、更にこのループアンテナ周辺に強い磁界を生じ、挿入型記憶媒体装置内部にある無線通信媒体のアンテナへ強い磁界を与えることが可能となる、同様に、逆方向、即ち、内部の無線通信媒体のアンテナの負荷の変動を更に強くして外部の非接触リーダーなどの読み書き部との通信距離を容易に伸ばすことが可能となる。
【００２７】
本発明の請求項９に記載の発明は、ループアンテナの開口部が、ケースの面積よりも大きいことを特徴とする請求項７乃至８のいずれかに記載の挿入型記憶媒体装置であって、通信距離の拡大を更に確実にすることが可能となる。
【００２８】
本発明の請求項１０に記載の発明は、ループアンテナに共振回路、もしくは整合回路、もしくは終端抵抗のいずれか、あるいはこれらの２つ、あるいはすべてが接続されていることを特徴とする請求項７〜９いずれか１記載の挿入型記憶媒体装置であって、所望の周波数に共振、所望のアンテナ及び回路インピーダンスに整合、あるは所望の負荷インピーダンスに整合することにより、通信性能を向上させることを可能とする。
【００２９】
本発明の請求項１１に記載の発明は、磁性部材の外側であって、無線通信媒体と反対側に金属部材が設けられたことを特徴とする請求項７〜１０いずれか１記載の挿入型記憶媒体装置であって、記憶媒体と無線通信媒体が格納されたケースが電子機器の外にある場合と、電子機器の内部に挿入された場合のいずれにおいても無線通信媒体が有するアンテナへのインピーダンス変化や周波数ズレの影響を大幅に低減する事により挿入された無線通信媒体と外部の読み書き部との通信距離を更に拡大することが可能となる。
【００３０】
本発明の請求項１２に記載の発明は、磁性部材および金属部材およびループアンテナの一部、もしくはすべてが、ケースに格納されていることを特徴とする請求項７〜１１いずれか１に記載の挿入型記憶媒体装置であって、通信距離を拡大するループアンテナ込みで、電子機器への挿入を可能とする。
【００３１】
本発明の請求項１３に記載の発明は、挿入型記憶媒体装置がメモリーカードであることを特徴とする請求項１〜１２いずれか１記載の挿入型記憶媒体装置であって、安価に普及している記憶媒体装置を流用して、低コストの装置を実現することができる。
【００３２】
本発明の請求項１４に記載の発明は、ループアンテナが無給電ループアンテナであるこ
とを特徴とする請求項７〜１３いずれか１記載の挿入型記憶媒体装置であって、消費電力を上げず、アンテナからの余分な電磁波の発生をなくして、外部の読み書き部との磁界のやり取りによる誘導起電力を確実にループアンテナ上に発生させることができる。
【００３３】
本発明の請求項１５に記載の発明は、ループアンテナの開口部が、無線通信媒体の主面の面積よりも大きいことを特徴とする請求項７〜１４いずれか１記載の挿入型記憶媒体装置であって、装置の大きさを大きくすること無く、通信距離を拡張することが可能となる。
【００３４】
本発明の請求項１６に記載の発明は、データを書き込み、もしくは読み出し、もしくは読み書きを行う記憶媒体と、無線通信媒体と、無線通信媒体と記憶媒体を格納するケースと、ケースの底面もしくはこれと対向する面の少なくとも一方の面であって少なくとも無線通信媒体に対向する部分に設けられた磁性部材を有する挿入型記憶媒体装置が挿入可能な挿入部と、挿入部が設けられた筐体と、挿入部の周囲を囲むように設けられた開口部を有する導体で形成されたループアンテナを有することを特徴とする無線通信媒体付記憶装置であって、電子機器外面の金属面などによる影響を回避して、内部に挿入された無線通信媒体と外部の読み書き部との通信を可能とし、更にその通信距離を拡大することが可能となる。
【００３５】
本発明の請求項１７に記載の発明は、無線通信媒体と、無線通信媒体と記憶媒体を格納するケースと、ケースの底面もしくはこれと対向する面の少なくとも一方の面であって少なくとも無線通信媒体に対向する部分に設けられた磁性部材を有する挿入型記憶媒体装置を挿入可能な挿入部と、挿入部が設けられた筐体と、挿入部の周囲を囲むように設けられた開口部を有する導体から形成され、開口部の形成する面が、無線通信媒体の主面と略平行になるループアンテナを有することを特徴とする無線通信媒体付記憶装置であって、電子機器外面の金属面などによる影響を回避して、内部に挿入された無線通信媒体と外部の読み書き部との通信を可能とし、更にその通信距離を拡大することが可能となる。
【００３６】
本発明の請求項１８に記載の発明は、ループアンテナに共振回路、もしくは整合回路、もしくは終端抵抗のいずれか、あるいはこれらの２つ、あるいはすべてが接続されていることを特徴とする請求項１６乃至１７いずれかに記載の無線通信媒体付記憶装置であって、所望の周波数に共振、所望の各インピーダンスに整合、あるは所望の負荷インピーダンスに整合することにより、通信性能を向上させることが可能となる。
【００３７】
本発明の請求項１９に記載の発明は、磁性部材の底面であって、無線通信媒体と反対側の面に金属部材が設けられたことを特徴とする請求項１６〜１８いずれか１記載の無線通信媒体付記憶装置であって、記憶媒体と無線通信媒体が格納されたケースが電子機器の外にある場合と、電子機器の内部に挿入された場合の無線通信媒体が有するアンテナへのインピーダンス変化や周波数ズレの影響を大幅に低減する事により、挿入された無線通信媒体と外部の読み書き部との通信距離を更に拡大することが可能となる。
【００３８】
本発明の請求項２０に記載の発明は、挿入部が無線通信媒体付記憶装置の側面に設けられ、ケースが無線通信媒体付記憶装置の幅広面に対向して挿入部から挿入されることを特徴とする請求項１６〜１９いずれか１記載の無線通信媒体付記憶装置であって、電子機器の薄型化を阻害することなく挿入型記憶媒体装置を挿入して、無線通信媒体と読み書き部との通信を実現することができる。
【００３９】
本発明の請求項２１に記載の発明は、ループアンテナが無給電のループアンテナであることを特徴とする請求項１６〜２０いずれか１記載の無線通信媒体付記憶装置であって、消費電力を上げず、アンテナからの余分な電磁波の発生をなくして、外部の読み書き部と
の磁界のやり取りによる誘導起電力を確実にループアンテナ上に発生させることができる。
【００４０】
本発明の請求項２２に記載の発明は、請求項１６〜２１いずれか１記載の無線通信媒体付記憶装置と、データ処理部と、制御部と、これらを格納する筐体と、マンマシンインターフェースを有することを特徴とする電子機器であって、挿入された無線通信媒体との通信によるＩＤ認証などが可能な電子機器が実現される。
【００４１】
本発明の請求項２３に記載の発明は、電子機器が携帯端末であることを特徴とする請求項２２に記載の電子機器であって、挿入された無線通信媒体との通信によるＩＤ認証などが可能な携帯端末が実現される。
【００４２】
本発明の請求項２４に記載の発明は、データを書き込み、もしくは読み出し、もしくは読み書きを行う記憶媒体と、無線通信媒体と、無線通信媒体と記憶媒体を格納するケースと、ケースの底面もしくはこれと対向する面の少なくとも一方の面であって、少なくとも無線通信媒体に対向する部分に磁性部材と、磁性部材の底面であって、無線通信媒体の反対側に設けられた金属部材を有する挿入型記憶媒体装置を挿入可能な挿入部と、挿入部が設けられた筐体と、筐体に設けられた表示部と入力装置を有するマンマシンインターフェースと、筐体内部に設けられた送受信処理部と、筐体内部に設けられ、送受信処理部を制御する制御部と、筐体内部であって、挿入された挿入型記憶媒体装置の周囲を囲むように設けられた開口部を有する導体で形成されたループアンテナを有することを特徴とする携帯端末であって、外部の読み書き部からＩＤ認証などを可能とする携帯端末を実現して、入出管理などの種々のアプリケーションに対応することが可能となる。
【００４３】
以下、本発明の実施の形態について図面を用いて説明する。
【００４４】
なお、本発明における無線通信媒体とは、例えば、非接触ＩＣカード、ＩＣタグ、ＩＤタグ、識別ラベル、ＲＦ−ＩＤタグ等の非接触で処理装置との通信を行うことができる媒体であり、その処理装置とは、これら無線通信媒体と通信を行う装置であり、いわゆる、リーダー、リーダーライター、読取／書込装置のことを示す。
【００４５】
また、同種認証されるＩＤとは、ＩＤコードを表すビット列が完全には一致している、あるいは一部に相違する部分があるが、同種別と判断されるＩＤをいい、異種認証されるＩＤとは、ＩＤコードを表すビット列が一致しておらず、異なる種別と判断されるＩＤを言う。
【００４６】
（実施の形態１）
まず、実施の形態１について図１〜図８を用いて説明する。
【００４７】
図１は、本発明の実施の形態１における挿入型記憶媒体装置の斜視図、図２は本発明の実施の形態１における挿入型記憶媒体装置の側面図、図３、図４は本発明の実施の形態１における無線通信媒体の構成図、図５、図６、図７、図８は本発明の実施の形態１における挿入型記憶媒体装置の構成図である。
【００４８】
１は挿入型記憶媒体装置、２は記憶媒体、３は無線通信媒体、４はケース、５は磁性部材、６は底面、７は無線通信媒体アンテナ、８はＩＣ、９は無線通信媒体筐体、１０は金属部材、１１は制御回路、１２はループアンテナ、１３は共振回路、１４は整合回路、１５は終端抵抗、１６は格納ケースである。
【００４９】
最初に、各部の詳細について説明し、その後、本発明の挿入型記憶媒体装置の動作と特
徴について説明する。
【００５０】
挿入型記憶媒体装置１は、例えばメモリーカード、カード型メモリー、棒状型メモリー、板形メモリーなど、電子機器、とりわけ薄型、小型が要求される電子機器に挿入されて、データの記録や読み出し、書き込みなどが行われる装置である。対象となる電子機器は、携帯電話、携帯端末、ノートブックパソコン、ＦＡＸ、電話、ＰＤＡなど様々であり、挿入が容易なように、薄型であったり、小型であったりすることが好ましい。また、挿入との用語が用いられているが、スリットのような挿入部から挿入されるだけではなく、通常の取り出し口から出し入れが可能なものであっても良い。
【００５１】
次に記憶媒体２について説明する。
【００５２】
記憶媒体２は、データの読み出し、書き込み、あるいは読み書きを行う媒体であり、フラッシュＲＯＭや、ＳＲＡＭ、ＤＲＡＭ、強誘電体メモリなどが用いられる。また、記憶媒体２はケース４に格納されて挿入型記憶媒体装置１を構成し、電子機器内部に挿入されることで、電気的な接続が成立し、電子機器との間で、実際のデータのやり取りが行われるものである。
【００５３】
なお、記憶媒体２はケース４内部に格納されているが、その表面に付着されていても良く、ケース４内部における位置関係も適宜決められてよいものである。また、必要に応じて、記憶媒体２のデータ容量も適宜決められてよいものである。
【００５４】
また、記憶媒体２は、現在市場で流通しているメモリーカードなどのいずれかのものであってもよいものである。
【００５５】
次に無線通信媒体３について説明する。
【００５６】
無線通信媒体は、図３に表されるように、その内部に主にループ形状となっている無線通信媒体アンテナ７と、ＩＣ８を含んで、周囲を樹脂などの筐体で覆われたものである。無線通信媒体３は、直接の給電を受けずに、例えば非接触カードリーダー／ライターなどの読み書き部の有するアンテナから生じる磁界を受けて、その無線通信媒体アンテナ７において誘導起電力が発生し、これに基づいて、ＩＣ８に記憶されているデータを、無線通信媒体アンテナ７を通じて出力するものである。これにより、無線通信媒体３は、直接の給電をされることなく、更に、非接触の状態で内部に記憶されているＩＤコードなどを出力して、認識させることができるものである。
【００５７】
なお、無線通信媒体３には、ＩＤコードが記憶されているだけでなく、これ以外の情報（例えば、ユーザー情報など）も記憶されていてもよく、ＩＤコードなどは、事後的に書き換えられても良く、固定されていても良く、必要に応じて適宜決められてよいものである。
【００５８】
また、無線通信媒体３としては、ＩＣカード、ＩＤカード、ＩＣタグ、ＩＤタグなどが用いられるが、これ以外のものであっても良い。
【００５９】
また、無線通信媒体３はケース４内部に格納されることが好ましいが、表面に付着さていてもよく、その格納位置も適宜決められてよいものである。
【００６０】
更に、図１などでは、記憶媒体２と無線通信媒体３が隣り合って配置されているが、これ以外であっても、上下に重ね合わせられたり、大きく離されて配置されたり、近接して配置されたりしても良く、格納するケース４の厚みや大きさなどから適宜決められればよ
いものである。但し、図１などにあるように隣接して配置されることで、ケース４の薄型化が促進され、薄型の挿入型記憶媒体装置が求められる場合には適している。逆にケース４の面積を小型化したい場合には、上下に重ねることも好適である。また、相互に電気的干渉などを防止するため、それぞれを樹脂モールドするなども好適である。
【００６１】
また、無線通信媒体３は、薄型の形状などにより、電子機器に容易に挿入が可能となるものであることが好ましいが、必要に応じて、他の形状を有するものであってもよいものである。
【００６２】
また、記憶媒体２を無線通信媒体アンテナ７の内側に設けてもよい。即ち、一体に無線通信媒体３と記憶媒体２が形成されてもよいものである。
【００６３】
次にケース４について説明する。
【００６４】
ケース４は、記憶媒体２と無線通信媒体３を格納するケースであり、樹脂などで形成される。また、形状は用途に応じて決定されれば良く、方形、長方形、正方形、楕円形、円形、三角形、多角形などの板状の物でも良く、角柱、円柱などの柱状の者であっても良い。また、角部に面取りが施されることで、耐久性が向上し、使用するユーザーへのフレンドリーさが向上するメリットもある。
【００６５】
また、ケース４の形状、面積、厚みなどは、挿入して使用される電子機器の規格により定まる場合が多く、一般的に規格化されているメモリーカードなどの場合には、これに適合した形状、面積などを有していることが好ましい。このため、種々の規格が多数ある場合には、それぞれに適合した形状、面積のケースをあらかじめ用意しておき、種々のバリエーションに対応することも好適である。
【００６６】
なお、図１、図２などでは表されていないが、挿入型記憶媒体装置１が電子機器などに挿入されることで、記憶媒体２と電子機器内部との回路の電気的通信が可能となるように、ケース４には、電極や電気端子が形成されており、ケース内部では、記憶媒体２の有する電気端子（図示せず）などとボンディング接続などがされていることが好ましい。
【００６７】
また、図１、図２などでは記憶媒体２と無線通信媒体３とが並んで配置されているが、上述のように、積層など種々の配置でよいものであり、これにあわせてケース４の形状や面積などが、適宜決定されればよいものである。
【００６８】
次に、磁性部材５について説明する。
【００６９】
磁性部材５は、ケース４の底面、もしくはこれと対向する面に設けられる。即ち、無線通信媒体３と対向する面に形成される。さらに詳細には、無線通信媒体３内部にある、無線通信媒体アンテナ７の開口面と対向する面に形成されることが好ましい。
【００７０】
図２などでは、ケース４の底面に設けられているが、無線通信媒体３との位置関係によっては、上面や側面に形成されてもよいものである。
【００７１】
また、磁性部材５は、フェライトなどの磁性体を有する材料などから形成される。
【００７２】
磁性部材５は、ケース４の底面などの前面に渡って形成されても良く、少なくとも無線通信媒体３と対向する面において形成されることが好ましい。これは後で述べるように、磁性部材５を用いて磁界の閉回路を形成し、挿入された電子機器表面の金属面等の影響を低減し磁界が電子機器表面金属面の反対側の開口面に及ぶようにするためである。
【００７３】
磁性部材５の存在により、磁性部材５において磁界の閉回路が形成され、磁界が電子機器表面金属面の反対側の開口面に放射されることになる。
【００７４】
アンテナ７の下に磁性部材５を配置したことにより磁束密度が密な部分がアンテナ７の下の磁性部材５に集中し、効率的に磁束のループ（閉回路）を作ることができる。磁束密度が集中している所で金属板と触れることが無く磁束密度が疎の所で金属板を磁束が通過するため、渦電流の発生も少なくなりそれによる損失も低減できる。その結果として外部の読み書き部と、無線通信媒体３との通信が可能となる。
【００７５】
また、このとき磁性部材５は強度や耐久性を確保するために、角部に面取りを施され、あるいは円形や楕円形などとすることも好適である。また、その厚みが厚いことで、より多くの磁束が通過する事が出来、結果として外部への磁界の放射をより強くすることができるので、挿入型記憶媒体装置１の厚みの限界などに合わせて、厚くしておくことも好適である。
【００７６】
また、磁性部材５は、磁性体シート、磁性体板、磁性体膜などのいずれかであってもよいものである。
【００７７】
次に金属部材１０について説明する。
【００７８】
金属部材１０も、磁性部材５と同様に金属板、金属シート、金属膜、金属めっきなど、ケース４などの形状や形態、大きさに合わせて適宜選択されればよいものである。
【００７９】
金属部材１０は、磁性部材５の外側（底面側、あるいは無線通信媒体３を基準として、磁性部材５の外側に）に形成される。金属部材１０は、ケース４を構成する一部をあらかじめ金属としておくことで実現されても良い。
【００８０】
また、金属部材１０の材料としては、銅、鉄、金、銀、白金、アルミ、あるいはこれらの合金などから形成され、単層でも良く多層でも良い。あるいは、磁性部材５の外側にめっき層などを形成して実現されても良い。また、磁性部材５との間に空隙が設けられてもよいものである。
【００８１】
このように磁性部材５の外側に金属部材１０が形成されることで、記憶媒体と無線通信媒体が格納されたケースが電子機器の外にある場合と、電子機器の内部に挿入された場合のいずれにおいても無線通信媒体が有するアンテナへのインピーダンス変化や周波数ズレの影響を大幅に低減する事により、挿入された無線通信媒体と外部の読み書き部との通信距離を更に拡大することが可能となる。
【００８２】
次に制御回路１１について説明する。
【００８３】
制御回路１１は、記憶媒体２と無線通信媒体３との間のデータのやり取りを行う。
【００８４】
例えば、無線通信媒体３のＩＣやメモリに記憶されているＩＤコードを、事後的に変更したい場合などに、記憶媒体２からのデータアクセス処理によって変更することが可能となる。記憶媒体２は、通常書き換え可能な記憶媒体であるので、電子機器や、専用の機器に挿入されている場合に、記憶媒体２に記憶されているデータを、無線通信媒体３に書き込み実行することで、無線通信媒体３のＩＤコードを変更したり、新たなデータを記憶させたりすることで、フレキシビリティの高い挿入型記憶媒体装置とすることが可能となるものである。
【００８５】
この場合には、ユーザーフレンドリーの高い装置が実現されるため、種々のアプリケーションへの適用が容易に行えるものである。
【００８６】
例えば、挿入型記憶媒体装置１を挿入した携帯電話などを、コンサートや公共機関の入場券として使う場合などに、無線通信媒体３の記憶内容の書き換えが可能であることで、非常に幅広い使用態様が実現される。
【００８７】
なお、図５では制御回路１１が記憶媒体２と無線通信媒体３を結んでいるが、制御回路１１が無く、直接電気接続されて、記憶媒体２、あるいは無線通信媒体３内部に実装された回路により、書き換え処理が行われてもよいものである。
【００８８】
また、電子機器側に、書き換え処理のための回路やソフトウェアがあってもよいものである。
【００８９】
更に、記憶媒体２と無線通信媒体３とは、同一の集積回路で実現されても良く、図１などのように別体でなく、一体性のあるものであっても良い。
【００９０】
次にループアンテナ１２について説明する。
【００９１】
ループアンテナ１２は、導体から形成され、開口部を有しているアンテナであり、挿入型記憶媒体１のケース４の周囲を囲むように形成されている。ループアンテナ１２を形成する導体は、種々の金属などの導体であれば良く、例えば、金、銀、銅、アルミ、真鍮、あるいはこれらの合金などの材料から形成される。
【００９２】
また、ループアンテナ１２は給電されず、無給電である。
【００９３】
ここで、無給電であっても、ループアンテナ１２は外部の読み書き部からの磁界に対して生じる誘導電流が働くため、無給電であっても、あたかも給電されているかのように働き、磁界を発生させるものであり、これにより、無線通信媒体３と外部の読み書き部との通信距離を拡大するものである。
【００９４】
ループアンテナ１２はケース４の周囲を囲むように形成されれば良いが、ケース４の面と、ループアンテナ１２の作る開口部の面が略同一面上に無くても良く、近傍であれば十分であり、また、それぞれの一部が重なっていてもよいものである。
【００９５】
また、開口部はケース４よりもその面積が大きいことが好ましく、更には、ケース４内部に格納されている無線通信媒体３よりもその面積が大きいことが好ましい。これにより、後で述べるように、更にこのループアンテナ１２の周辺に強い磁界を生じ、挿入型記憶媒体装置１内部にある無線通信媒体のアンテナへ強い磁界を与えることが可能となり、読み書き部との通信距離が更に伸びるものである。
【００９６】
また、ループアンテナ１２の開口部と無線通信媒体３、特に、無線通信媒体３内部に含まれるアンテナとの開口面が略平行になることが好ましい。これにより、更に磁界強度が上がって、無線通信媒体３との通信距離が伸びる結果になるからである。
【００９７】
なお、ループアンテナ１２は図７のようにケース４と別体で形成されてもよく、この場合にはまったく別でもよいし、あるいは、ねじなどでの接続部により接続されれば良い。
【００９８】
あるいは、図８に示されるように全体を格納する格納ケース１６に一緒に格納されて一
体化されても良く、この場合には、全体の格納ケース１６をもって、電子機器の挿入部などに挿入される挿入型記憶媒体装置１となる。この場合にはやや大型となるが、通信距離を拡大するループアンテナ１２があらかじめ格納された挿入型記憶媒体装置１とすることができるメリットがある。
【００９９】
次に、共振回路１３、整合回路１４、終端抵抗１５について説明する。
【０１００】
これらはいずれも、ループアンテナ１２に接続されたものであり、それぞれループアンテナ１２での通信時の性能を向上させるためのものである。
【０１０１】
共振回路１３は通信において行う任意の周波数において共振し、規格などで決定されている周波数において通信動作するように決定されるための回路である。容量成分やインダクタ成分などを適宜接続して決定される。またボリュームなどで、使用周波数の変更に対応できるようにすることも好適である。
【０１０２】
整合回路１４は、インピーダンス整合を取るための回路である。インピーダンス整合が取れていることで、余分な反射波が無くなり、ＶＳＷＲが向上して、通信性能を向上させることができる。抵抗成分、容量成分、インダクタ成分などを適宜用いて整合を取ることを可能とする。このとき、ボリューム回路などを用いて、事後的に整合を調整できるようにすることも好ましい。また、共振回路１３と共用できる部品を共用することも、必要に応じて行うことも好ましいものである。
【０１０３】
終端抵抗１５は、ループアンテナ１２での整合のために終端となる抵抗であり、適宜、必要な抵抗成分が接続される。これらは特に、余分な反射波が無くなりループアンテナ１２であることからより効果的な構成要件である。
【０１０４】
以上の構成により、金属面で覆われた電子機器内部に挿入される挿入型記憶媒体装置１に格納される無線通信媒体３と、外部の読み書き部との間での通信を可能とし、更にその通信距離を十分なものとすることが可能となる。
【０１０５】
次に、このような挿入型記憶媒体装置１についての動作について説明する。
【０１０６】
挿入型記憶媒体装置１は、上記のようにメモリーカードなど、携帯端末、デジタルカメラ、デジタルビデオ、テレビ、ビデオ、ＤＶＤ、パソコンなどの、様々な電子機器に挿入されて、必要な画像、音声、他のデータを書き込み、読み出し、読み書きなどを行うものであり、挿入が可能であることから、移動が容易である。このため、それぞれの電子機器に挿入されることで、必要な記憶データの取出しなどが行われ、必要に応じて異なる挿入型記憶媒体１を挿入することで、異なるデータを取り出すことなども容易に行える。
【０１０７】
このような、挿入型記憶媒体装置１は、その簡易な取り扱いや出し入れの容易性、軽量性、持ち運び性などのよさから、非常に便利に使用することができる。
【０１０８】
このため、このような挿入型記憶媒体装置１に、無線通信媒体３を一体に格納した物とすることで、携帯端末をはじめとした様々な電子機器に、ＩＤコード認証などを行うことのできる無線通信媒体３を、任意かつ所望に応じて挿入することが可能となるものである。これにより、必要に応じて、メモリーカードなどからなる挿入型記憶媒体装置１を用いて、無線通信媒体３を電子機器内部に挿入させること、あるいは抜き取ること、あるいは差し替えることが可能となり、その挿入された電子機器自体を無線通信媒体３を用いた通信可能な電子機器として使用することができるようになる。
【０１０９】
まず、ケース４の底面など、無線通信媒体３に設けられた無線通信媒体アンテナ７の下に磁性部材５を配置したことにより磁束密度が密な部分が無線通信媒体アンテナ７の下の磁性部材５に集中し、効率的に磁束のループ（閉回路）を作ることができる。磁束密度が集中している所で金属板と触れることが無く磁束密度が疎の所で金属板を磁束が通過するため、渦電流の発生も少なくなりそれによる損失も低減できる。その結果として外部の読み書き部と、無線通信媒体３との通信がより確実なものとなる。
【０１１０】
特に、このとき、磁性部材５の下に更に金属部材１０が形成されることで、記憶媒体２と無線通信媒体３が格納されたケース４が電子機器の外にある場合と、電子機器の内部に挿入された場合のいずれにおいても無線通信媒体３が有する無線通信媒体アンテナ７のインピーダンス変化や周波数ズレの影響を大幅に低減する事により、挿入された無線通信媒体３と外部の読み書き部との通信距離を更に拡大することが可能となる。
【０１１１】
これらにより、メモリーカードなどに無線通信媒体３を格納して、電子機器などに挿入した場合であっても、外部の読み書き部との通信ができなかった問題が解消され、無線通信媒体３と外部の読み書き部との通信が可能となる。
【０１１２】
更に、ループアンテナ１２が形成されることで、外部の非接触リーダーなどの読み書き部に設けられたループアンテナと、このループアンテナ１２が相互誘導により結合し、このループアンテナ１２が仲介となって、更にこのループアンテナ１２周辺に強い磁界を生じ、挿入型記憶媒体装置内部にある無線通信媒体アンテナ７へ強い磁界を与えることが可能となる、同様に、逆方向、即ち、内部の無線通信媒体アンテナ７の負荷の変動を更に強くして外部の非接触リーダーとの通信距離を容易に伸ばすことが可能となり、実用上のメリットが非常に高いものである。
【０１１３】
以上のように、メモリーカードなどの挿入型記憶媒体装置１にあらかじめ無線通信媒体３を格納して、種々の電子機器に挿入した場合であっても、外部の読み書き部との通信を可能とし、ＩＤコード認証などが可能となり、例えば携帯電話そのもので、非接触リーダーなどとのＩＤ認証などを実施することが可能となるものである。
【０１１４】
なお、ループアンテナ１２については、必要に応じて設けられれば良く、設けられることで、通信距離が伸びるメリットがあるが、ループアンテナ１２を形成しない場合でも通信は可能であることはもちろんである。
【０１１５】
（実施の形態２）
実施の形態２においては、挿入型無線通信媒体装置が挿入される電子機器に、あらかじめループアンテナが形成されている場合について説明する。
【０１１６】
ループアンテナ１２により、挿入されている無線通信媒体３と外部の読み書き部との通信距離が更に伸びることについては説明したが、挿入型記憶媒体装置１にあらかじめループアンテナ１２を形成することは、その耐久性や強度に問題があったり、挿入されるケース４の大型化、即ち挿入型記憶媒体装置１の大型化につながる場合もあるため、あらかじめループアンテナ１２を電子機器内部に形成しておくことも、所望に応じてメリットのある手法である。
【０１１７】
図９〜図１２は本発明の実施の形態２における電子機器の構成図であり、無線通信媒体付記憶装置が表されている。
【０１１８】
２０は電子機器、２１は無線通信媒体付記憶装置、２２は筐体、２３は挿入部、３０は携帯端末である。
【０１１９】
図９には、携帯端末やその他の電子機器２０の側面に設けられた挿入部２３から、挿入型記憶媒体装置１が挿入され、筐体２２内部にあらかじめループアンテナ１２が設けられて、このループアンテナ１２の開口部内部に、あるいはその近傍に挿入型記憶媒体装置１が装着されるように構成された無線通信媒体付記憶装置２１を有する電子機器２０があらわされている。
【０１２０】
図１０には、図９のようなスリット状の挿入部２３ではなくて、ドアのように開閉可能な挿入部２３を通じて、挿入型記憶媒体装置１が収納される場合の電子機器２０が示されている。
【０１２１】
図１１には、電子機器２０が携帯端末の場合であって、正面から見た状態が表されており、図１２には、電子機器２０が同様に携帯端末であって、斜めからみた状態が表されている。
【０１２２】
なお、電子機器２０は図１１、図１２に表されるように携帯電話、携帯端末のみならず、ノートブックパソコン、デジタルカメラ、デジタルビデオ、ＡＶ機器、テレビ、パソコン、白物家電など、様々なものであってよいものである。
【０１２３】
挿入型記憶媒体装置１は、実施の形態１で説明したとおり、記憶媒体２と無線通信媒体３とがケース４に格納されており、そのケース４の底面など、無線通信媒体３の近傍に磁性部材５、金属部材１０などが形成されて、磁界の迂回路が作られて外部との磁界のやり取り、即ち通信が可能となったものである。
【０１２４】
また、実施の形態２では、あらかじめ電子機器２０や携帯端末３０などの内部にループアンテナ１２が形成されており、実装されている。この、ループアンテナ１２には、実施の形態１で説明したように、共振回路１３、整合回路１４、終端抵抗１５などが、必要に応じて接続されており、通信性能を向上させることができるものである。
【０１２５】
このように、ループアンテナ１２が最初から電子機器２０内部に形成されることで、例えば、挿入型記憶媒体装置１を大型化の防止や、ループアンテナ１２の損傷を防止することができる。
【０１２６】
また、ループアンテナ１２を、個々の挿入型記憶媒体装置１にループアンテナ１２を装着することでのコスト増加を回避する点もあるものである。
【０１２７】
ループアンテナ１２は、あらかじめ挿入型記憶媒体装置１が挿入され、これを囲むような位置に配置されていることが好ましく、電子機器２０のメインの実装基板にパターンで形成されたり、その他の導体で形成されたりしてもよいものである。
【０１２８】
また、挿入型記憶媒体装置１と略平行の開口部となるようにしておくことも好適であり、その開口部の面積が、無線通信媒体３に含まれるアンテナよりも大きいことも好適である。
【０１２９】
以上の電子機器２０の有する挿入部２３（図９のような側面に設けられたスリット状のものであったり、図１０に示されるように開閉式のものであったりする）から、挿入型記憶媒体装置１の周囲にループアンテナ１２が存在することになる。
【０１３０】
これにより、ループアンテナ１２の効果も含んで、挿入された無線通信媒体３と、外部の読み書き部との通信が可能となり、その通信距離も拡大されるものである。
【０１３１】
以上のように、あらかじめ電子機器２０の中にループアンテナ１２が設けられていることで、外部の読み書き部との通信距離を拡大することができる上、挿入される挿入型記憶媒体装置１を、例えばメモリーカードなどのように、通常の規格で定められた形状、大きさ、厚みとして使用することができ、低コストにすることができるメリットがある。また、電子機器側でも、従来どおりのメモリーカードなどを流用することができるので、余分な改造や新たな設計工程が不要となるメリットがあり、普及にとってもメリットがある。
【０１３２】
なお、図１１、図１２などには図示されていないが、必要に応じて、電子機器２０や携帯端末３０には、音声や画像などのデータを処理するデータ処理部、および、制御部が含まれるものでもあり、液晶画面や入力キーなどのマンマシンインターフェースが設けられてもよいものである。このとき、表示部などに挿入されている無線通信媒体のＩＤ認証の結果や、あるいは挿入の有無などが表示されてもよいものである。
【０１３３】
以上により、メモリーカードなど、規格化され、大きく普及している挿入型媒体装置１に無線通信媒体３を格納して、電子機器２０内部に挿入した場合に、筐体外面の金属面などの影響にもかかわらず、外部の非接触リーダーなどの読み書き部との通信によるＩＤ認証などが可能となり、携帯端末３０などそのものを、入出門のキーとして使用したり、入場チケットの代わりとしたり、あるいはセキュリティ管理そのものに使用すること等が可能となって、無線通信媒体３を用いたアプリケーションの幅や使用形態が、更に広がるものである。
【０１３４】
これらにより、種々の電子機器にＩＤコードを割り当てることが可能となり、機器認証、所有者認証などによる電子機器の使用権限のセキュリティが実現されたり、携帯端末３０などが、そのまま入出門管理などに用いられたり、自動棚卸や在庫確認などに用いられたりすることが可能となる。非常に応用分野の広いアプリケーションとなりうる。
【０１３５】
特に、図１１、図１２に表されるように、携帯端末３０などに応用した場合、マンマシンインターフェースを構成する入力装置２６を通じて、ＩＤ認証に必要な処理、あるいはＩＤ認証された後の処理を命令することができ、表示部２５を通じて、ＩＤ認証結果などを、ユーザーが容易に視認することができるなどのメリットがある。
【産業上の利用可能性】
【０１３６】
本発明は、データを書き込み、もしくは読み出し、もしくは読み書きを行う記憶媒体と、無線通信媒体と、無線通信媒体と記憶媒体を格納するケースと、ケースの底面もしくはこれと対向する面の少なくとも一方の面であって、無線通信媒体に対向する部分に設けられた磁性部材を有する構成により、挿入型記憶媒体装置にあらかじめＩＤコードなどを有した無線通信媒体を格納して、データの記憶などを行う記憶媒体と共に無線通信媒体を挿入型記憶媒体装置に組み込んで、携帯端末などの電子機器に挿入した上で、外部の非接触リーダーなどの読み書き部と、無線通信媒体との間で通信を行うことが必要な用途にも適用できる。
【図面の簡単な説明】
【０１３７】
【図１】本発明の実施の形態１における挿入型記憶媒体装置の斜視図
【図２】本発明の実施の形態１における挿入型記憶媒体装置の側面図
【図３】本発明の実施の形態１における無線通信媒体の構成図
【図４】本発明の実施の形態１における無線通信媒体の構成図
【図５】本発明の実施の形態１における挿入型記憶媒体装置の構成図
【図６】本発明の実施の形態１における挿入型記憶媒体装置の構成図
【図７】本発明の実施の形態１における挿入型記憶媒体装置の構成図
【図８】本発明の実施の形態１における挿入型記憶媒体装置の構成図
【図９】本発明の実施の形態２における電子機器の構成図
【図１０】本発明の実施の形態２における電子機器の構成図
【図１１】本発明の実施の形態２における電子機器の構成図
【図１２】本発明の実施の形態２における電子機器の構成図
【符号の説明】
【０１３８】
１    挿入型記憶媒体装置
２    記憶媒体
３    無線通信媒体
４    ケース
５    磁性部材
６    底面
７    無線通信媒体アンテナ
８    ＩＣ
９    無線通信媒体筐体
１０    金属部材
１１    制御回路
１２    ループアンテナ
１３    共振回路
１４    整合回路
１５    終端抵抗
１６    格納ケース
２０    電子機器
２１    無線通信媒体付記憶装置
２２    筐体
２３    挿入部
２５    表示部
２６    入力装置
３０    携帯端末
【図１】
2005275871.tif 000003
【図２】
2005275871.tif 000004
【図３】
2005275871.tif 000005
【図４】
2005275871.tif 000006
【図５】
2005275871.tif 000007
【図６】
2005275871.tif 000008
【図７】
2005275871.tif 000009
【図８】
2005275871.tif 000010
【図９】
2005275871.tif 000011
【図１０】
2005275871.tif 000012
【図１１】
2005275871.tif 000013
【図１２】
2005275871.tif 000014